(57)【要約】　　　（修正有）【課題】フラットスラブの上端筋と下端筋との間に、鉄筋とスパイラル筋（又はフープ筋）とから成るせん断補強筋を略水平に配設することにより、上端筋及び下端筋と干渉することなく容易に配筋作業を行うことができ、フラットスラブと柱との接合部近傍におけるせん断耐力（パンチング破壊耐力）を飛躍的に向上させることができるフラットスラブのせん断補強方法を提供する。【解決手段】柱に支持されるフラットスラブ１の上端筋４と下端筋５との間に同上端筋及び下端筋と接する高さを有し、複数の平行な縦筋の外周をスパイラル筋７又はフープ筋で巻いて成るせん断補強筋８を、せん断力に十分に抵抗できる長さとし、柱１０を中心としてフラットスラブに想定されるせん断破壊面を横断する配置で略水平に設置する。【選択図】図１
2004044222.tif 000002
【特許請求の範囲】
【請求項１】
柱に支持されるフラットスラブの上端筋と下端筋との間に同上端筋及び下端筋と接する高さを有し、複数の平行な縦筋の外周をスパイラル筋又はフープ筋で巻いて成るせん断補強筋を、せん断力に十分に抵抗できる長さとし、柱を中心としてフラットスラブに想定されるせん断破壊面を横断する配置で略水平に設置することを特徴とする、フラットスラブのせん断補強方法。
【発明の詳細な説明】
【０００１】
【発明の属する技術分野】
この発明は、フラットスラブ構造（又はフラットプレート構造）において、柱に支持されるフラットスラブのせん断耐力（パンチング破壊耐力）を向上させるせん断補強方法の技術分野に属する。
【０００２】
【従来の技術】
フラットスラブ構造は、基本的には梁を用いないフラットスラブと柱とで架構が形成された構造である。このフラットスラブ構造は、梁を用いない分だけ、階高を通常より低く設計することが可能であり、室内空間の有効利用を図ることができるメリットがある。また、施工性の面からは梁型枠工事を省ける等のメリットがある。
【０００３】
しかし、前記フラットスラブは、上記構造のゆえに、柱の断面力（曲げ及びせん断力）を直接伝達する必要があり、その断面力によってフラットスラブと柱との接合部近傍にせん断破壊（パンチング破壊）が生じやすく、ひいては建物の崩壊につながる虞もある。
【０００４】
上記のせん断破壊を防ぐ方法として、柱に必要な大きさの柱頭および支板を設けるせん断補強方法がある。このせん断補強方法は、当該柱頭および支板を設けた分だけせん断耐力を増大させることができるが、スラブ厚を増大させるから室内空間の有効利用を損なうデメリットがある。
【０００５】
そこで図３に示したように、フラットスラブａ内にスターラップ型のせん断補強筋ｂを配設する方法、又は図４に示したように、フラットスラブａ内に頭付きスタッドｃを配設する方法などでせん断補強を行う方法も開示され、実施に供されている。前記せん断補強方法は、柱ｅを中心としてフラットスラブａに想定されるせん断破壊面を横断するようにスターラップ等の鋼材ｂ、ｃを配設し、せん断破壊面における小さな変形に対して鋼材ｂ、ｃの強度が発揮される定着形式で実施されている。前述の柱頭および支板を設ける方法に比して、スラブ厚を増大させることなく、せん断補強を行うことができるメリットがある。
【０００６】
【本発明が解決しようとする課題】
しかしながら、図３に示したせん断補強方法は、スターラップ型のせん断補強筋ｂをスラブ鉄筋ｄと組み合わせるのに手間が掛かり作業が面倒である。また、スターラップｂの厚さ分だけスラブ鉄筋ｄがスラブａの内部に入り込むので、その分、曲げモーメントに対する抵抗力を損い、効果的に曲げ耐力を発揮することができない。
【０００７】
また、図４に示したせん断補強方法は、頭付きスタッドｃを避けて図示を省略したスラブ鉄筋を配筋しなければならないという問題もある。
【０００８】
本発明の目的は、フラットスラブの上端筋と下端筋との間に、鉄筋とスパイラル筋（又はフープ筋）とから成るせん断補強筋を略水平に配設することにより、上端筋及び下端筋と干渉することなく容易に配筋作業を行うことができ、フラットスラブと柱との接合部近傍におけるせん断耐力（パンチング破壊耐力）を飛躍的に向上させることができるフラットスラブのせん断補強方法を提供することにある。
【０００９】
【課題を解決するための手段】
上記の課題を解決するための手段として、請求項１記載の発明に係るフラットスラブのせん断補強方法は、
柱に支持されるフラットスラブの上端筋と下端筋との間に同上端筋及び下端筋と接する高さを有し、複数の平行な縦筋の外周をスパイラル筋又はフープ筋で巻いて成るせん断補強筋を、せん断力に十分に抵抗できる長さとし、柱を中心としてフラットスラブに想定されるせん断破壊面を横断する配置で略水平に設置することを特徴とする。
【００１０】
【発明の実施の形態、および実施例】
図１Ａ、Ｂは、請求項１に記載した発明に係るフラットスラブのせん断補強方法の実施形態を示している。このフラットスラブ１のせん断補強方法は、せん断補強筋８を、当該フラットスラブ１の上端筋４と下端筋５との間に配設することにより、スペーサー機能を与えて作業性を飛躍的に向上させると共にフラットスラブ１と柱１０との接合部近傍におけるせん断耐力を飛躍的に向上させる技術的思想に立脚している。
【００１１】
前記フラットスラブ１のせん断補強方法は、柱１０に支持されるフラットスラブ１の上端筋４と下端筋５との間に同上端筋４と下端筋５と接する高さを有し、複数の平行な縦筋（鉄筋）６をスパイラル筋７で巻いて成るせん断補強筋８を、せん断力に十分に抵抗できる長さとし、柱１０を中心としてフラットスラブ１に想定されるせん断破壊面（図中に示した破線）を横断する配置で略水平に設置することを特徴とする（請求項１記載の発明）。
【００１２】
本実施形態に係るせん断補強筋８の構成は、４本の丸棒鉄筋６を四隅に配置しその外周をスパイラル筋７で長方形状に巻いて一体化して実施しているが、これに限定されない。例えば、前記せん断補強筋８は、丸棒鉄筋６の代わりにコブ付き鉄筋等の異形鉄筋を用いても略同様に実施できるし、スパイラル筋７の代わりにフープ筋を用いても略同様に実施できるし、丸棒鉄筋６の外周を長方形状に巻く代わりに正方形状や円形状に巻いて実施することもできる。また、前記丸棒鉄筋６の使用本数は４本に限定されず、施工する柱１０やフラットスラブ１の大きさ等から導かれる要求されるせん断耐力等に応じて適宜、設計変更される。
【００１３】
本実施形態に係るせん断補強筋８の配置方法は、フラットスラブ１の上端筋４及び下端筋５を構成するスラブ主筋２及び配力筋３のうち、前記配力筋３と同一方向に略等間隔に複数体（図示例では９体）をバランス良く、柱１０を回避して配設している。実際の施工では、前記９体のせん断補強筋８を、平面的に見て、略等間隔に配置した下端筋５の配力筋３…に重ならないように略等間隔に配置し、該下端筋５の主筋２に直接載置して位置決めする。続いて、前記位置決めした当該せん断補強筋８の上に、前記上端筋４を設置してコンクリート打設してフラットスラブ１を施工するのである。よって、前記せん断補強筋８は、柱１０とフラットスラブ１との接合部近傍におけるせん断耐力を向上させることは勿論、スペーサーの役割をも果たすので、配筋作業効率を飛躍的に向上させることができるのである。
【００１４】
因みに、本実施形態に係るせん断補強筋８の長さは、柱１０を中心としてフラットスラブ１に想定されるせん断力に十分に抵抗できる長さを必要とするが、一例として、縦６０ｃｍ、横１８０ｃｍの長方形の横断面を有する柱１０に対し、２８８ｃｍ程度で実施する。
【００１５】
なお、前記せん断補強筋８の配置個数は勿論９体に限定されず、施工する柱１０やフラットスラブ１の大きさ等から導かれる要求されるせん断耐力等に応じて適宜、設計変更される。また、前記せん断補強筋８の配置方法は、図１Ａ、Ｂに限定されず、前記配力筋３と直角方向（スラブ主筋２と同一方向）に略等間隔に複数体配設して実施することもできるし、図２に示したように、前記配力筋３と同一方向及び直角方向に混合した配置で実施することもできる。
【００１６】
斯くして、上記フラットスラブ１のせん断補強方法によれば、せん断補強筋８を、スラブ鉄筋４、５と組み合わせることなく別異に独立して配筋でき、且つスペーサーの役割をも果たすので、配筋作業をスムーズ且つ効率良く行い得る。また、せん断補強筋８を、スラブ鉄筋４、５の内部に配筋して実施するので、当該スラブ鉄筋４、５を、前記せん断補強筋８の存在に左右されることなく、せん断力に抵抗するための理想的なかぶり厚で配筋することができる。
【００１７】
したがって、上記フラットスラブ１のせん断補強方法により補強されたフラットスラブ構造によれば、前記せん断補強筋８の特にスパイラル筋７がフラットスラブ１の打設コンクリートを効果的に拘束するので、せん断耐力を飛躍的に向上させることができ、せん断破壊面における小さな変形に対して十分に強度を発揮するフラットスラブ構造を実現することができる。
【００１８】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを、念のために言及する。
【００１９】
【本発明が奏する効果】
請求項１に記載した発明に係るフラットスラブのせん断補強方法によれば、下記する効果を奏する。
１）せん断補強筋を、スラブ鉄筋と組み合わせることなく別異に独立して配筋でき、且つスペーサーの役割をも果たすので、配筋作業をスムーズ且つ効率良く行い得る。また、せん断補強筋を、スラブ鉄筋の内部に配筋して実施できるので、当該スラブ鉄筋を、前記せん断補強筋の存在に左右されることなく、せん断力に抵抗するための理想的なかぶり厚で配筋することができる。
２）せん断補強筋がフラットスラブの打設コンクリートを効果的に拘束するので、せん断耐力を飛躍的に向上させることができ、せん断破壊面における小さな変形に対して十分に強度を発揮するフラットスラブ構造を実現することができる。
【図面の簡単な説明】
【図１】Ａは、本発明に係るフラットスラブのせん断補強方法の実施形態を概略的に示した縦断面図であり、Ｂは、同平面図である。
【図２】本発明に係るフラットスラブのせん断補強方法の異なる実施形態を概略的に示した平面図である。
【図３】従来技術を示した立面図である。
【図４】従来技術を示した立面図である。
【符号の説明】
１　　フラットスラブ
２　　スラブ主筋
３　　配力筋
４　　上端筋
５　　下端筋
６　　丸棒鉄筋
７　　スパイラル筋
８　　せん断補強筋
１０　　柱
【図１】
2004044222.tif 000003
【図２】
2004044222.tif 000004
【図３】
2004044222.tif 000005
【図４】
2004044222.tif 000006